(57)【要約】  ＴＵＮＥＲ受信ユニット（１２）がアラーム情報を検出すると、制御部（１０）はＴＵＮＥＲ受信ユニット（１２）を選択することを示す出力選択指示を音声セレクタ（１４）、出力セレクタ（１５）、および通話中断ガイドユニット（１６）に出力する。出力選択指示を受けると出力セレクタ（１５）はＴＵＮＥＲ受信ユニット（１２）から入力されるオーディオデータを選択して音声出力装置（３）に出力し、通話中断ガイドユニット（１６）は予め録音されている音声ガイドを音声セレクタ（１４）に出力し、音声セレクタ（１４）は音声ガイドを選択して電話ユニット（１３）を介して電話機（７）に出力する。【特許請求の範囲】
【請求項１】
電話ユニットによって電話機と接続され、前記電話機から入力される音声を音声出力装置に出力するとともに、音声入力装置から入力される音声を前記電話機に出力して、ハンドセットを行なうことなく通信相手と通話するハンズフリー機能付き電子機器において、
前記電話ユニットを選択することを示す第１の出力選択指示を受けると前記電話ユニットの音声を選択して前記音声出力装置に出力し、前記電話ユニットとは異なる機器を選択することを示す第２の出力選択指示を受けると前記異なる機器の音声を選択して前記音声出力装置に出力する出力セレクタと、
通話が中断されていることを前記通信相手に通知する音声ガイドを出力する通話中断ガイドユニットと、
前記第１の出力選択指示を受けると前記音声入力装置から入力される音声を選択して前記電話ユニットに出力し、前記第２の出力選択指示を受けると前記通話中断ガイドユニットから入力される音声ガイドを選択して前記電話ユニットに出力する音声セレクタと、
前記電話機の通話、および、前記異なる機器からの割り込みに関して予め設定された優先順位に基づいて前記電話機の通話よりも優先順位が高く設定されている割り込みを検出した場合、前記第２の出力選択指示を前記出力セレクタおよび前記音声セレクタに出力し、優先順位が前記電話機の通話以下に設定されている割り込みを検出した場合、前記第１の出力選択指示を前記出力セレクタおよび前記音声セレクタに出力する制御部と、
を備えることを特徴とするハンズフリー機能付き電子機器。
【請求項２】
前記異なる機器は、ラジオ・データ・システム、またはデジタル・オーディオ・ブロードキャスティングの放送電波を受信する受信機を有し、
前記放送電波に含まれる割込み情報のなかで緊急放送を示すアラーム情報の割り込みを、前記電話機の通話よりも優先順位を高く設定することを特徴とする請求項１に記載のハンズフリー機能付き電子機器。
【請求項３】
前記制御部は、
前記第２の出力選択指示を出力した後に、前記異なる機器の出力を選択することを示す出力選択指示を前記音声セレクタに出力し、
前記音声セレクタは、
前記異なる機器の出力を選択することを示す出力選択指示を受けると、前記異なる機器の出力を選択して前記電話ユニットに出力すること、
を特徴とする請求項１に記載のハンズフリー機能付き電子機器。
【請求項４】
前記制御部は、
前記第２の出力選択指示を出力した後に、前記異なる機器の出力を選択することを示す出力選択指示を前記音声セレクタに出力し、
前記音声セレクタは、
前記異なる機器の出力を選択することを示す出力選択指示を受けると、前記異なる機器の出力を選択して前記電話ユニットに出力すること、
を特徴とする請求項２に記載のハンズフリー機能付き電子機器。
【請求項５】
前記異なる機器は、カーナビゲーション装置を有し、
前記カーナビゲーション装置の案内ガイドの割り込みを、前記電話機の通話よりも優先順位を高く設定することを特徴とする請求項１に記載のハンズフリー機能付き電子機器。
【請求項６】
電話ユニットによって電話機と接続され、前記電話機から入力される音声を音声出力装置に出力するとともに、音声入力装置から入力される音声を前記電話機に出力して、ハンドセットを行なうことなく通信相手と通話するハンズフリー機能を有し、前記電話ユニットと前記電話ユニットとは異なる機器の出力とを切替えるハンズフリー機能付き電子機器の出力切替方法であって、
前記電話機の通話よりも優先順位が高く設定されている割り込みを検出した場合には、前記異なる機器を選択することを示す出力選択指示を出力し、前記電話機の通話以下の優先順位が設定されている割り込みを検出した場合には、前記電話ユニットを選択することを示す出力選択指示を出力する制御ステップと、
前記電話ユニットの出力を選択することを示す出力選択指示を受けると前記電話ユニットの音声を選択して前記音声出力装置に出力し、前記異なる機器を選択することを示す出力選択指示を受けると前記異なる機器の音声を選択して前記音声出力装置に出力する出力選択ステップと、
通話が中断されていることを前記通信相手に通知する音声ガイドを生成する通話中断ガイド出力ステップと、
前記電話ユニットの出力を選択することを示す出力選択指示を受けると前記音声入力装置から入力される音声を選択して前記電話ユニットに出力し、前記異なる機器を選択することを示す出力選択指示を受けると前記通話中断ガイド出力ステップによって生成された音声ガイドを選択して前記電話ユニットに出力する音声選択ステップと、
を備えることを特徴とするハンズフリー機能付き電子機器の出力切替方法。
【発明の詳細な説明】
【技術分野】
【０００１】
この発明は、電話機に接続され、ハンドセットを用いることなく通話を行なうハンズフリー機能付き電子機器に関するものである。
【背景技術】
【０００２】
従来から、電話回線を介した通信中に通信相手との通話を中断した際に、通話を中断していることを通知する種々の技術が考えられている。たとえば、特許文献１には、モデム間の通信中に、モデムと並列または直列に接続されている電話機への着信があった場合、モデムは通信相手のモデムに対してモデム保留通知を送信して、相手側のモデムに通信を保留にすることを通知する通信システムの技術が開示されている。【０００３】
【特許文献１】特表２００３−５２７７７２号公報
【発明の開示】
【発明が解決しようとする課題】
【０００４】
ところで、近年では、ハンドセットを使用することなくマイクを介して電話機に音声を出力するとともに、電話機から出力される相手側の音声をスピーカを介して通話を行なうハンズフリー機器が普及している。ハンズフリー機能は、電話機を持つことなく相手と通話ができるため、運転中でも携帯電話を用いて通話することができる。そのため、カーオーディオやカーナビゲーション装置などにハンズフリー機能を組み込んで車載に搭載することが多い。【０００５】
従来のハンズフリー機能付き電子機器（カーオーディオやカーナビゲーション装置）は電話機（携帯電話）の音声と電子機器の音声とを切替えてスピーカに出力している。そのため、たとえば、ラジオ・データ・システム（ＲＤＳ：RadioDataSystem）やデジタル・オーディオ・ブロードキャスティング（ＤＡＢ：DigitalAudioBroadcasting）などで緊急放送を受信した場合、またはカーナビゲーション装置の案内ガイドなどが発生した場合には、スピーカの出力を電話機の音声から電子機器の音声に切替えるようにしているので、相手との通話が中断してしまう。【０００６】
従来のハンズフリー機能付き電子機器を用いて通話を行なっている利用者は、スピーカからの出力が切替るので通話が中断されたことを認識できる。しかしながら、通信相手は、不意に通話が中断されてしまい、中断の原因が電波状態やオフフックによって通信回線が切断されたために通話が中断されたのか、ハンズフリー機能付き電子機器のスピーカへの出力が切替ったために通話が中断されたのかを知ることができない。そのため、従来のハンズフリー機能付き電子機器を用いて通信を行う場合、ハンズフリー機能の切替えによる通話の中断によって利用者に不安や不快感を与えてしまうという問題があった。【０００７】
上記特許文献１に記載の従来技術では、モデム間の通信中に、モデムと並列または直列に接続されている電話機への着信があった場合、モデムは通信相手のモデムに対してモデム保留通知を送信して、相手側のモデムに通信を保留にすることを通知するようにしているが、上述した従来のハンズフリー機能付き電子機器のように、電話回線や電話機とは異なる機器からの要求によって発生した通話の中断に関する技術は開示されていない。そのため、上記特許文献１に記載の従来技術では、従来のハンズフリー機能付き電子機器のスピーカへの出力の切替えによる通話の中断を通信相手に通知することはできず、従来のハンズフリー機能付き電子機器の割込み処理の優先順位によって発生する通話の中断による通信相手の不安や不快感を解消することはできない。【０００８】
本発明は、上記に鑑みてなされたものであって、ハンズフリー機能を用いた通話中に、ハンズフリー機能から電話機とは異なる機器への切替えが発生した場合に、通信相手に通話が中断していることを通知することができるハンズフリー機能付き電子機器およびハンズフリー機能付き電子機器の切替え方法を得ることを目的としている。
【課題を解決するための手段】
【０００９】
請求項１に記載の発明は、電話ユニットによって電話機と接続され、前記電話機から入力される音声を音声出力装置に出力するとともに、音声入力装置から入力される音声を前記電話機に出力して、ハンドセットを行なうことなく通信相手と通話するハンズフリー機能付き電子機器において、前記電話ユニットを選択することを示す出力選択指示を受けると前記電話ユニットの音声を選択して前記音声出力装置に出力し、前記電話ユニットとは異なる機器を選択することを示す出力選択指示を受けると前記異なる機器の音声を選択して前記音声出力装置に出力する出力セレクタと、通話が中断されていることを前記通信相手に通知する音声ガイドを出力する通話中断ガイドユニットと、前記電話ユニットを選択することを示す出力選択指示を受けると前記音声入力装置から入力される音声を選択して前記電話ユニットに出力し、前記異なる機器を選択する出力選択指示を受けると前記通話中断ガイドユニットから入力される音声ガイドを選択して前記電話ユニットに出力する音声セレクタと、前記電話機の通話よりも優先順位が高く設定されている割り込みを検出した場合、前記異なる機器を選択することを示す出力選択指示を前記出力セレクタおよび前記音声セレクタに出力し、優先順位が前記電話機の通話以下に設定されている割り込みを検出した場合、前記電話ユニットの出力を選択することを示す出力選択指示を前記出力セレクタおよび前記音声セレクタに出力する制御部と、を備えることを特徴とする。【００１０】
また、請求項６に記載の発明は、電話ユニットによって電話機と接続され、前記電話機から入力される音声を音声出力装置に出力するとともに、音声入力装置から入力される音声を前記電話機に出力して、ハンドセットを行なうことなく通信相手と通話するハンズフリー機能を有し、前記電話ユニットと前記電話ユニットとは異なる機器の出力とを切替えるハンズフリー機能付き電子機器の出力切替方法であって、前記電話機の通話よりも優先順位が高く設定されている割り込みを検出した場合には、前記異なる機器を選択することを示す出力選択指示を出力し、前記電話機の通話以下の優先順位が設定されている割り込みを検出した場合には、前記電話ユニットを選択することを示す出力選択指示を出力する制御ステップと、前記電話ユニットの出力を選択することを示す出力選択指示を受けると前記電話ユニットの音声を選択して前記音声出力装置に出力し、前記異なる機器を選択することを示す出力選択指示を受けると前記異なる機器の音声を選択して前記音声出力装置に出力する出力選択ステップと、通話が中断されていることを前記通信相手に通知する音声ガイドを生成する通話中断ガイド出力ステップと、前記電話ユニットの出力を選択することを示す出力選択指示を受けると前記音声入力装置から入力される音声を選択して前記電話ユニットに出力し、前記異なる機器を選択することを示す出力選択指示を受けると前記通話中断ガイド出力ステップによって生成された音声ガイドを選択して前記電話ユニットに出力する音声選択ステップと、を備えることを特徴とする。
【図面の簡単な説明】
【００１１】
【図１】図１は、この発明にかかるハンズフリー機能付き電子機器を用いた通信システムの構成を示すブロック図である。
【図２】図２は、この発明にかかるハンズフリー機能付き電子機器の動作を説明するためのフローチャートである。
【符号の説明】
【００１２】
１  カーオーディオ
３  音声出力装置
５  音声入力装置
７，９  電話機
１０  制御部
１１  表示部
１２  ＴＵＮＥＲ受信ユニット
１３  電話ユニット
１４  音声セレクタ
１５  出力セレクタ
１６  通話中断ガイドユニット
【発明を実施するための最良の形態】
【００１３】
以下に添付図面を参照して、本発明にかかるハンズフリー機能付き電子機器およびハンズフリー機能付き電子機器の出力切替方法の好適な実施例を詳細に説明する。【００１４】
［概要および特徴］
この発明にかかるハンズフリー機能付き電子機器は、予め割込み処理の優先順位を設定しておき、ハンズフリー機能よりも優先順位の高い割込み処理が発生した場合には、割込み処理の対象となる機器の音声を音声出力装置に出力するとともに、予め録音された通話を中断していることを通知する音声ガイドを電話機に出力して、通信相手にハンズフリー機能よりも優先度の高い割り込みによって通話が中断されていることを通知するものである。
【実施例】
【００１５】
図１および図２を参照して、この発明にかかる実施例を説明する。図１は、この発明にかかる実施例のハンズフリー機能付き電子機器としてカーオーディオを用いた通信システムの構成を示すブロック図である。図１に示した通信システムは、ハンズフリー機能付き電子機器であるカーオーディオ１と、電話機７，９と、マイクなどの音声入力装置５と、スピーカなどの音声出力装置３とを備えている。カーオーディオ１に接続される電話機７は一般的な携帯電話であり、電話機７と通話する電話機９は、携帯電話でも固定電話でもかまわない。【００１６】
カーオーディオ１は、電話機７と接続され、電話機７と電話機９とが通話中の場合には、音声入力装置５から入力される音声を電話機７に出力するとともに、電話機７が受信した電話機９の音声を音声出力装置３に出力するハンズフリー機能を有し、電話機７が待機状態（通話中ではない）の場合には、ＲＤＳやＤＡＢなどのラジオのオーディオデータ、カーオーディオ１に外付けまたは内蔵される図示していないＴＶチューナーが受信する音データなどを音声出力装置３に出力する。カーオーディオ１は、電話機７と電話機９との通話中（ハンズフリー通話中）にＲＤＳまたはＤＡＢで定められている生命の危機に関する情報である緊急放送を受信した場合には、音声出力装置３への出力を電話機７から入力される音声からＲＤＳまたはＤＡＢの緊急放送に切替えるとともに、電話機７に対して通話が中断していることを通知する音声ガイドを出力する。【００１７】
カーオーディオ１は、制御部１０、表示部１１、ＴＵＮＥＲ受信ユニット１２、電話ユニット１３、音声セレクタ１４、出力セレクタ１５、および通話中断ガイドユニット１６を備えている。【００１８】
制御部１０は、マイクロプロセッサなどで構成され、カーオーディオ１内の各構成部分を統括的に制御するとともに、予め定められた優先順位に基づいて、ＴＵＮＥＲ受信ユニット１２を選択するのか、電話ユニット１３を選択するのかを示す出力選択指示を音声セレクタ１４、出力セレクタ１５、および通話中断ガイドユニット１６に出力する。【００１９】
ＴＵＮＥＲ受信ユニット１２は、ＲＤＳやＤＡＢなどのラジオの放送電波を受信する一般的な受信機である。ＴＵＮＥＲ受信ユニット１２は、受信したＲＤＳやＤＡＢなどの放送電波に受信処理を施してオーディオデータを生成し、生成したオーディオデータを出力セレクタ１５に出力する。【００２０】
ＲＤＳまたはＤＡＢの放送では、オーディオデータとともに、緊急放送や交通情報、事故情報などの割込み情報に関するデータを送信している。ＴＵＮＥＲ受信ユニット１２は、ＲＤＳまたはＤＡＢの放送電波に受信処理を施す際に、割込み情報の種類を検出して制御部１０に出力する。【００２１】
電話ユニット１３は、電話機７とのインタフェース機能を備え、カーオーディオ１と電話機７とを接続して、電話機７から入力された音声を出力セレクタ１５に出力するとともに、音声セレクタ１４にから入力される音声を電話機７に出力する。電話機７との接続は、ケーブルを用いた有線接続でもよいし、Ｂｌｕｅｔｏｏｔｈ（登録商標）などの無線接続でもよい。【００２２】
出力セレクタ１５は、制御部１０から入力される出力選択指示に基づいて、ＴＵＮＥＲ受信ユニット１２から入力されるオーディオデータ、または電話ユニット１３から入力される音声を選択して音声出力装置３に出力する。【００２３】
通話中断ガイドユニット１６は、制御部１０からＴＵＮＥＲ受信ユニット１２を選択することを示す出力選択指示を受けると、電話機７が電話機９との通話が中断していることを通知する音声ガイドを音声セレクタ１４に出力する。音声ガイドは、予め録音されている音声データで、たとえば、「緊急放送のため通話を中断します」というような、電話機９を使用している通信相手に通話を中断することを通知するアナウンスである。通話中断ガイドユニット１６は、制御部１０からＴＵＮＥＲ受信ユニット１２を選択することを示す出力選択指示を受けると、録音されている音声データを再生して電話ユニット１３に出力する。【００２４】
音声セレクタ１４は、制御部１０から入力される出力選択指示に基づいて音声入力装置５から入力される音声または通話中断ガイドユニット１６から入力される音声ガイドを選択して電話ユニット１３に出力する。【００２５】
表示部１１は、ＯＥＬやＬＣＤなどで構成され、ＴＵＮＥＲ受信ユニット１２によって受信しているＲＤＳやＤＡＢなどのラジオ放送の受信周波数や、カーオーディオ１に外付けまたは内蔵される図示していないＴＶチューナーなどが受信しているＴＶチャネル情報などを表示する。なお、ＴＶチューナーなどの映像は、カーオーディオ１に外付けされる液晶ディスプレイなどで構成される図示していないモニタ部に表示される。【００２６】
つぎに、図２のフローチャートを参照して、この発明にかかる実施の形態１のハンズフリー機能付き電子機器であるカーオーディオ１の動作を説明する。なお、出力セレクタ１５は電話ユニット１３を介して入力される電話機７のから音声を選択して音声出力装置３に出力し、音声セレクタ１４は音声入力装置５から入力される音声を選択して電話ユニット１３を介して電話機７に出力しており、電話機７と電話機９とがハンズフリー機能によって通話中であるものとする。また、制御部１０には、ＴＵＮＥＲ受信ユニット１２から入力されるＲＤＳやＤＡＢの割込み情報の種類の中で生命の危機に関する情報である緊急放送を示すアラーム情報（ＲＤＳやＤＡＢで定められているＡＬＡＲＭ）の割込み処理の優先順位が最も高い優先順位として設定され、ハンズフリー機能の割込み処理の優先順位はアラーム情報の割込み処理のつぎに設定されているものとする。【００２７】
ＴＵＮＥＲ受信ユニット１２は、受信したＲＤＳまたはＤＡＢの放送電波に受信処理を施したオーディオデータを出力セレクタ１５に出力する。また、ＴＵＮＥＲ受信ユニット１２は、受信処理の際に放送電波に含まれている割込み情報の種類を検出し、検出した割込み情報の種類を制御部１０に出力する。割込み情報の種類を受けると、制御部１０は、割込み情報の種類がアラーム情報であるか否かを判定する（ステップＳ１００，Ｓ１１０）。【００２８】
割込み情報の種類がアラーム情報である場合、制御部１０は、音声出力装置３への出力としてＴＵＮＥＲ受信ユニット１２を設定するとともに、電話機７への出力として通話中断ガイドユニット１６の音声ガイドを設定する（ステップＳ１２０，Ｓ１３０）。【００２９】
具体的には、制御部１０は、ＴＵＮＥＲ受信ユニット１２を選択することを示す出力選択指示を音声セレクタ１４、出力セレクタ１５、および通話中断ガイドユニット１６に出力する。【００３０】
ＴＵＮＥＲ受信ユニット１２を選択することを示す出力選択指示を受けると、出力セレクタ１５は、ＴＵＮＥＲ受信ユニット１２から入力されるオーディオデータを選択して音声出力装置３に出力する。これにより、音声出力装置３からＲＤＳまたはＤＡＢの緊急放送が出力される。【００３１】
ＴＵＮＥＲ受信ユニット１２を選択することを示す出力選択指示を受けると、通話中断ガイドユニット１６は予め録音されている音声ガイドを再生して音声セレクタ１４に出力する。【００３２】
ＴＵＮＥＲ受信ユニット１２を選択することを示す出力指示を受けると、音声セレクタ１４は通話中断ガイドユニット１６から入力される音声ガイドを選択して電話ユニット１３に出力する。【００３３】
これにより、電話ユニット１３は音声セレクタ１４から入力される音声ガイドを電話機７に出力し、電話機７から通信回線を介して電話機９に音声ガイドが送られ、電話機９の利用者（電話機７の通信相手）は、電話機７との通信が緊急放送のために中断されていることを知ることができる。【００３４】
一方、割込み情報の種類がアラーム情報ではない場合、制御部１０は、音声出力装置３への出力として電話ユニット１３を設定するとともに、電話機７への出力として音声入力装置５を設定する（ステップＳ１４０，Ｓ１５０）。【００３５】
具体的には、制御部１０は、電話ユニット１３を選択することを示す出力選択指示を音声セレクタ１４、出力セレクタ１５、および通話中断ガイドユニット１６に出力する。【００３６】
電話ユニット１３を選択することを示す出力選択指示を受けると、出力セレクタ１５は、電話ユニット１３から入力される音声データを選択して音声出力装置３に出力する。これにより、電話ユニット１３を介して入力される電話機７からの音声、すなわち通信相手からの音声が音声出力装置３から出力される。【００３７】
電話ユニット１３を選択することを示す出力選択指示を受けると、音声セレクタ１４は、音声入力装置５から入力される音声を選択して電話ユニット１３に出力する。電話ユニット１３は、音声セレクタ１４から入力された音声、すなわち入力装置から入力された音声を電話機７に出力する。電話ユニット１３を選択することを示す出力選択指示を受けると、通話中断ガイドユニット１６は、音声ガイドの再生を停止する。【００３８】
これにより、音声入力装置５から入力された音声は電話ユニット１３を介して電話機７に出力されるとともに、電話機７から入力された音声は電話ユニット１３を介して音声出力装置３に出力され、ハンズフリー機能による電話機７と電話機９との通話が可能となり、電話機９を使用している通信相手との通話ができるようになる。【００３９】
このようにこの実施例では、ＴＵＮＥＲ受信ユニット１２が検出した割込み情報の種類がアラーム情報の場合、制御部１０は、ＴＵＮＥＲ受信ユニット１２を選択することを示す出力選択指示を音声セレクタ１４、出力セレクタ１５、および通話中断ガイドユニット１６に出力する。ＴＵＮＥＲ受信ユニット１２を選択することを示す出力選択指示を受けると、出力セレクタ１５はＴＵＮＥＲ受信ユニット１２から入力されるオーディオデータを選択して音声出力装置３に出力し、通話中断ガイドユニット１６は予め録音されている音声ガイドを音声セレクタ１４に出力し、音声セレクタ１４は通話中断ガイドユニット１６から入力される音声ガイドを選択して電話ユニット１３に出力し、電話ユニット１３は入力された音声ガイドを電話機７に出力する。これにより、音声出力装置３への装置出力が電話機７の音声からＴＵＮＥＲ受信ユニット１２のオーディオデータに切替ったことにより通話が中断した場合でも、通信相手に通話が中断していることを音声によって通知することができ、不意に通話が中断したことによる通信相手の不安や不快感を解消することができる。【００４０】
なお、この実施例では、ＴＵＮＥＲ受信ユニット１２が検出した割込み情報の種類がアラーム情報の場合、制御部１０はＴＵＮＥＲ受信ユニット１２を選択すること示す出力選択指示を音声セレクタ１４に出力して音声セレクタ１４に通話中断ガイドユニット１６から入力される音声ガイドを選択させて、電話ユニット１３を介して音声ガイドを電話機７に出力するようにしたが、音声ガイドを電話機７に出力した後に、ＴＵＮＥＲ受信ユニット１２によって受信している緊急放送を電話機７に出力するようにしてもよい。【００４１】
この場合、先の図１に示したＴＵＮＥＲ受信ユニット１２の出力を音声セレクタ１４に入力し音声セレクタ１４の内部にフラッシュメモリ等で構成されたメモリ部（図示せず）に記憶しておき、制御部１０は、ＴＵＮＥＲ受信ユニット１２を選択することを示す出力選択指示を音声セレクタ１４に出力して通話中断ガイドユニット１６からの音声ガイドを電話機７に出力させる。通信相手に音声ガイドの内容が通知される時間が経過した後に、制御部１０は、ＴＵＮＥＲ受信ユニット１２の出力を選択することを示す出力選択指示を音声セレクタ１４に出力して、音声セレクタ１４に前記メモリ部に記憶されたＴＵＮＥＲ受信ユニット１２が受信している緊急放送を選択させるようにすればよい。【００４２】
これにより、通信相手に通話が中断していることを音声によって通知した後に、現在どのような緊急放送を受信しているかも通知することができるので、不意に通話が中断したことによる通信相手の不安や不快感を解消するとともに、現在の状況を通知することもできる。【００４３】
また、制御部１０が、ＴＵＮＥＲ受信ユニット１２を選択することを示す出力選択指示を表示部１１にも出力して、音声出力装置３の出力が電話機７の音声からＴＵＮＥＲ受信ユニット１２が受信している緊急放送に切替ったことを表示部１１に表示させるようにしてもよい。これにより、電話機７の利用者に視覚的に音声出力装置３の出力が切替ったことを通知することができる。【００４４】
また、この実施例では、ＲＤＳやＤＡＢの放送電波を受信するＴＵＮＥＲ受信ユニット１２を電話機とは異なる機器として有し、ＲＤＳまたはＤＡＢの緊急放送を受信した場合を例に挙げて説明したが、電話機とは異なる機器はこれに限るものではない。たとえば、ＴＵＮＥＲ受信ユニット１２の代わりにカーナビゲーション装置を備え、制御部１０がカーナビゲーション装置の案内ガイドの割込みを検出した際に、カーナビゲーション装置を選択することを示す出力選択信号を出力するようにしてもよい。この場合、カーナビゲーション装置を選択することを示す出力選択信号を受けて、出力セレクタ１５がカーナビゲーション装置の案内ガイドを音声出力装置３に出力し、通話中断ガイドユニット１６が音声ガイドを再生して音声セレクタ１４に出力し、音声セレクタ１４が音声ガイドを電話ユニット１３に出力する。これにより、音声出力装置３への装置出力が電話機７の音声からカーナビゲーション装置の案内ガイドに切替ったことにより通話が中断した場合でも、通信相手に通話が中断していることを音声によって通知することができ、不意に通話が中断したことによる通信相手の不安や不快感を解消することができる。【００４５】
また、この実施例では、ＴＵＮＥＲ受信ユニット１２の緊急放送を示すアラーム情報を最も高い優先順位とし、アラーム情報のつぎの優先順位にハンズフリー機能を設定した場合を例に挙げて説明したが、優先順位はこれに限るものではない。たとえば、電話機とは異なる機器として、ＴＵＮＥＲ受信ユニット１２、カーナビゲーション装置、バックカメラなど複数の機器を備え、これらの機器からの割込み、たとえば、ＴＵＮＥＲ受信ユニット１２の割込み情報、カーナビゲーション装置の案内ガイドの割込み、表示部１１にバックカメラの映像表示割込みなどに予めハンズフリー機能よりも高い優先順位を設定しておき、ハンズフリー機能とこれら機器との出力を切替える際に、音声セレクタ１４が音声ガイドを選択して電話ユニットを介して電話機に出力するようにしてもよい。【００４６】
さらに、電話機７として、Ｂｌｕｅｔｏｏｔｈ（登録商標）が内蔵されバッテリー状態や通信電波状態を通知する機能を備えている電話機を用いた場合には、制御部１０が電話機７のバッテリー状態や通信電波状態を取得して、バッテリーの状態や通信電波状態が予め定められた閾値より小さい場合に、通話中断ガイドユニット１６の音声ガイドを選択する出力選択指示を音声セレクタ１４に出力し、音声ガイドを電話機７に出力するようにしてもよい。この場合は、音声ガイドを、電話機７の使用状態が悪いために通話を中断することを示すことを示す内容とすれば、通話相手に通話が切断される可能性があることを通知することもできる。【００４７】
また、バッテリーの状態や通信電波状態が予め定められた閾値より小さい場合、ビープ音を出力したり、バッテリーの残量が少ないことや通信電波状態が悪いことなどを表示部１１に表示するようにすれば、電話機７の利用者に対しても、通話が切断される可能性があることを通知することができる。【００４８】
さらに、優先順位の設定は、制御部１０が表示部１１に優先順位を選択するメニュー設定画面を表示して、利用者が設定するようにしてもよい。【００４９】
さらにまた、電話機とは異なる機器は、車載に搭載される機器に限るものではなく、たとえばインターフォンなどの外部機器でもよい。この場合、無線または有線によって外部機器と接続するインタフェース部を備え、インタフェース部を介してインターフォンの呼び出しなどによる割り込みを制御部１０に入力し、外部機器の割込みをハンズフリー機能の割込みよりも優先順位を高く設定しておく。そして、外部機器からの割り込みを検出した際に制御部１０が、電話機とは異なる機器である外部機器を選択することを示す出力選択指示を音声セレクタ１４、出力セレクタ１５、および通話中断ガイドユニット１６に出力すればよい。
【図１】
2006043482.tif 000002
【図２】
2006043482.tif 000003
【国際調査報告】
2006043482.tif 000004
2006043482.tif 000005